(57)【要約】【課題】耐火性を損なわずに簡単且つ安価に枝管増加に対応できる閉塞装置を提供する。【解決手段】閉塞装置１を、耐火二層集合管継手２の継手内管２ａに設けられた枝管接続口９に一端８が嵌入され接着される合成樹脂製の短管３と、該短管の他端に接着され且つ繊維混入モルタルで被覆された合成樹脂製のキャップ５と、該枝管接続口への嵌入代１０を残した状態で該短管の外周に遊嵌されたモルタル管６と、該キャップ及びモルタル管の連接部分の外周面に巻き付けされた耐火性のテープ状目地７とで構成した。連接部分には、短管を切断する刃物１３が進入できる隙間１１を設け、モルタル管の長さを配管ソケット２０の嵌着に適した長さとし、モルタル管の外径を継手内管の外径よりも大きくする。【選択図】図４
2010014267.tif 000002
【特許請求の範囲】
【請求項１】
耐火二層集合管継手の合成樹脂製の継手内管に設けられた枝管接続口に一端が嵌入され接着される合成樹脂製の短管と、該短管の他端に接着され且つ繊維混入モルタルで被覆された合成樹脂製のキャップと、該枝管接続口への嵌入代を残した状態で該短管の外周に遊嵌された繊維混入モルタル製のモルタル管と、該キャップ及びモルタル管の連接部分の外周面に巻き付けされた耐火性のテープ状目地とで構成したことを特徴とする耐火二層集合管継手用閉塞装置。
【請求項２】
上記モルタル管と上記キャップとの間に、短管を切断する刃物が進入できる幅の隙間を設けたことを特徴とする請求項１に記載の耐火二層集合管継手用閉塞装置。
【請求項３】
上記モルタル管の長さを配管ソケットの嵌着に適した長さとし、モルタル管の外径を上記継手内管の外径より大きく形成したことを特徴とする請求項１又は２に記載の耐火二層集合管継手用閉塞装置。
【発明の詳細な説明】
【技術分野】
【０００１】  本発明は、耐火二層集合管継手の接続口に適用される閉塞装置に関する。
【背景技術】
【０００２】  従来、合成樹脂製の内管に繊維混入モルタルの被覆層を形成した構成の耐火二層集合管継手が知られており、排水性が良いが熱に弱い内管をモルタルの被覆層で保護することで火災などに対する安全性を保有するようになっている。また、この種の継手には、複数個の枝管接続口を備えたものがあり、これを例えば多層の建物の排水縦管の途中に設けて複数本の枝管からの排水を合流させることも行われている（特許第３５６７４２７号公報参照）。このような合流型の耐火二層集合管継手には、例えばトイレと浴槽の２系統から排水する場合、トイレと浴槽と台所の３系統の排水の場合など接続予定の枝管本数に応じた数の枝管接続口を備えたものが使用される。【０００３】  建物の建設工事では、比較的早い段階で排水管が設備されるが、これは建物内で使用されるトイレや浴槽などの住宅設備機器が確定した場合であって、間取りが未定で住宅設備機器が確定しないときには排水系統の工事を進行させることができず、配管の工期が長引く不都合があった。また、設備機器の変更などで枝管本数が減少した場合はその枝管接続口または枝管を耐火性の部材を使用して漏水しない確実な方法で永久閉鎖すればすむが、設計変更やリフォームなどで枝管本数が継手の枝管本数よりも増加する場合には集合管継手全体の交換が必要で、その工事は非常に困難を伴い、枝管増加には簡単に対応できない不都合があった。【０００４】  また、従来の配管工事において、耐火二層集合管継手と枝管の接続部分に生じる隙間を塞ぎ、火災の熱で耐火二層管の内管が損傷することを防止するため、接着性を有する耐火性のテープ状目地をその接続部分に巻き付けることが行われている（特開２００４−１５０６１９号公報参照）。
【特許文献１】  特許第３５６７４２７号公報
【特許文献２】  特開２００４−１５０６１９号公報
【発明の開示】
【発明が解決しようとする課題】
【０００５】  上記の枝管増加に対応できないという不都合は、予め枝管接続口の数が多い耐火二層集合管継手を排水系統に取付けておき、不要な枝管接続口は着脱自在に密閉栓を施して仮止めしておくことで解決できるのではないかと考えたが、密閉栓を合成樹脂製の内管にねじ止めした場合はねじの緩みによる漏水の危険があり、簡単な手段で耐火性を損なわずに且つ着脱自在に密閉栓を設けることは困難であった。【０００６】  本発明は、耐火二層集合管継手のこうした不都合を解消し、耐火性を損なわずに簡単且つ安価に枝管増加に対応できる閉塞装置を提供することを課題とするものである。
【課題を解決するための手段】
【０００７】  本発明では、上記課題を解決すべく、耐火二層集合管継手の合成樹脂製の継手内管に設けられた枝管接続口に一端が嵌入され接着される合成樹脂製の短管と、該短管の他端に接着され且つ繊維混入モルタルで被覆された合成樹脂製のキャップと、該枝管接続口への嵌入代を残した状態で該短管の外周に遊嵌された繊維混入モルタル製のモルタル管と、該キャップ及びモルタル管の連接部分の外周面に巻き付けされた耐火性のテープ状目地とで構成した。【０００８】  上記モルタル管と上記キャップとの間に、短管を切断する刃物が進入できる幅の隙間を設けることが好ましく、上記モルタル管の長さを配管ソケットの嵌着に適した長さとし、モルタル管の外径を上記継手内管の外径より大きく形成することが好ましい。
【発明の効果】
【０００９】  本発明の装置は、耐火二層集合管継手のさし当たっては使われない枝管接続口を装置の短管の一端を嵌入して接着することで閉塞するもので、その後の設計変更やリフォームなどで排水系統の増設が要望されたときには、テープ状目地を剥がしてモルタル管とキャップの連接部分を露出させ、この連接部分に鋸などの刃物を進入させて短管を切断し、キャップを短管の一部とともに切り離す。そして枝管接続口と接着されて残る短管の部分からモルタル管を抜き出し、この短管の部分に市販の耐火性の配管ソケットを接続したのち増設すべき排水管を配管ソケットに接続することで、簡単に閉塞を解除して枝管を増設できる。さらに、排水系統の本数の変更に自在に対応できるので、予め接続口の多い集合管継手を用意しておけば、その本数の確定を待たずに集合管継手や縦管、枝管を配管して作業を進行させ、配管時間を短縮することも可能になる。【００１０】  該モルタル被覆のキャップを短管の端部に接着剤により予め接着し、モルタル管を短管に挿通した状態でテープ状目地を巻いて組み立てておくと、閉塞装置が一体になるので短管の端部を枝管接続口に接着剤を使用して嵌着するだけで簡単に閉塞でき、搬送にも便利であり、接続口は接着されたキャップにより密閉されるので漏水せず、短管はモルタル管と耐火性のテープ状目地とモルタル被覆されたキャップとで囲まれているので十分な耐火性を維持できる。なお、耐火二層管継手の枝管接続口へ本発明の装置を取付ける時期は、該継手を配管施工する以前でも以後でもよい。【００１１】  該テープ状目地を巻き付けるときに、短管を切断する刃物の進入が容易になるように、該モルタル管とキャップとの連接部分に隙間を形成しておくと、上記した短管を切断するときの刃物の進入が容易になる。【００１２】  上記モルタル管の長さを配管ソケットの嵌着に適した長さに設定しておくことで、寸法の計測を行わずに短管の切断作業を行えるから、作業性が良くなり、モルタル管の外径を上記継手内管の外径より大きく形成しておくことで、閉塞装置を取付けたときに枝管接続口の端部に露出する継手内管の端面をモルタル管で覆うことができるようになり、火災のときの熱から継手内管を保護して火災に対する安全性が向上する。
【発明を実施するための最良の形態】
【００１３】  本発明の実施例を別紙図面に基づき説明すると、図１、図２及び図４において、符号１は本発明の耐火二層集合管継手用閉塞装置、図５の符号２は本発明の閉塞装置１が適用される枝管接続口９を３個有する耐火二層集合管継手を示す。該閉塞装置１は、一端８が枝管接続口９に嵌入されて接着される硬質塩化ビニール製の短管３と、該短管３の他端１２に接着され且つ繊維混入モルタル４で被覆された合成樹脂製のキャップ５と、該短管３の外周に遊嵌された繊維混入モルタル製のモルタル管６、およびキャップ５とモルタル管６の連接部分を覆うようにこれらキャップ５及びモルタル管６の外周面に巻きつけられた耐火性のテープ状目地７とを備えており、該モルタル管６は、短管３の一端側に枝管接続口９への嵌入代１０を残した状態で遊嵌した。【００１４】  図示の例では、該キャップ５とモルタル管６の連接部分に隙間１１を形成し、短管３を切断するための刃物１３がモルタル管６に邪魔されることなく短管３まで進入してこれを切断できるようにした。【００１５】  該耐火二層集合管継手２は、図４に示したように、硬質塩化ビニール製の継手内管２ａを繊維混入モルタル層２ｂで被覆した構成を有しており、繊維混入モルタル層２ｂの枝管接続口９に位置した端面には熱膨張性目地材２ｃを取付け、火災の際にはこれが膨張して接続した閉塞装置１のモルタル管６との間に熱の進入を防止し、合成樹脂製の継手内管２ａの損傷が防止されるようにした。また、モルタル管６の外径を継手内管２ａの外径よりも大きく形成しておくことで、継手内管２ａの端面を接続したモルタル管６で覆うことができ、火災のときに熱が継手内管２ａに作用することを防止できるので、この枝管接続口９の部分には熱膨張性目地の巻き付けなどの耐火装甲が不要になる。【００１６】  該テープ状目地７の構成の一例は図３に示した如くであり、焼成炭化したアクリル繊維布帛１５に難燃性の接着剤を含浸させ、この布帛１５にガラス繊維のメッシュ１６を介してアルミ箔１４を重層した構成の市販品を使用した。この目地は火災の熱に耐える性能を有しており、隙間１１に火災の熱が進入することを阻止し、内管２ａや短管３が損傷することを防止する。【００１７】  該耐火二層集合管継手２は、例えば図５に示したように床スラブ１７に埋設され、上下の接続口に、内管が硬質塩化ビニール製で外管が繊維混入モルタル製の耐火二層管からなる縦管１８、１８を接着剤により接続するとともに枝管接続口９に便器などへの同様の耐火二層管からなる枝管１９を同様に接続して配管工事が行われる。図示の場合、３個の接続口のうち、さし当たって使う予定のない接続口９に本発明の閉塞装置１が接続される。その接続状態の詳細は図４の断面図に明示した通りであり、短管３の嵌入代１０の周面に接着剤を塗布し、集合管継手２の雌型の枝管接続口９内に挿入して接合され、嵌入代１０を集合管継手２の繊維混入モルタル層２ｂの層とモルタル管６が連続するように設計しておくことで集合管継手２の接続口９から閉塞装置１の端部のキャップ５までが耐火装甲を施された状態になる。また、接着により閉塞装置１を取付けるので、緩みがなく防水性を長期間良好に維持できる。【００１８】  リフォームその他の理由により閉塞装置１で閉鎖した枝管接続口９を開口する要望が生じた場合、まずテープ状目地７を剥がして隙間１１を露出させ、隙間１１へ鋸などの刃物１３を進入させて短管３を切断し、キャップ５を除去するとともに図６で示したように遊嵌状態のモルタル管６を取り去る。これにより当該接続口６は短管３の残り半部が突き出した状態になり、その半部に市販の耐火二層形の配管ソケット２０を接着剤により接合し、これに耐火二層形の新たな枝管２１をつなぐことで排水系統が簡単に増設できる。【００１９】  該配管ソケット２０の一例の詳細は図７に示す如くであり、両側が雌型に形成された合成樹脂製の内管２０ａの外周を繊維混入モルタルの被覆層２０ｂで被覆した構成を備え、これの一端を接着剤を塗布した半部の短管３に嵌着し、他端に枝管２１を接続すると図８に見られるような耐火二層管で構成された排水系統が完成する。モルタル管６の長さは、配管ソケット２０の内管２０ａの嵌入深さ２２に一致するように形成され、これを一致させることにより集合管継手２の繊維混入モルタル層２ｂの被覆が配管ソケット２０のモルタルの被覆層２０ｂと隙間なく連続し、火災時の熱で合成樹脂製の内管類が損傷することを防止できる。【００２０】  排水系統の本数が確定しない状況であっても、予め枝管接続口９の多い集合管継手２を用意して配管施工を進めることが可能になり、施工後にその本数が増えた場合、閉塞装置１を切断して簡単に対応でき、施工時間を短縮できる利点がある。
【図面の簡単な説明】
【００２１】
【図１】本発明の装置の全体側面図
【図２】図１の２−２線部分の断面図
【図３】テープ状目地の一部切断斜視図
【図４】本発明の装置の切断側面図
【図５】本発明の装置の使用状態の側面図
【図６】本発明の装置の作動状態の側面図
【図７】配管ソケットの断面図
【図８】配管増設状態の側面図
【符号の説明】
【００２２】  １  耐火二層集合管継手用閉塞装置、２ａ  継手内管、２ｂ  繊維混入モルタル層、２  耐火二層集合管継手、３  短管、４  繊維混入モルタル、５  キャップ、６  モルタル管、７  テープ状目地、８  一端、９  枝管接続口、１０  嵌入代、１１  隙間、１３  刃物、２０  配管ソケット、
【図１】
2010014267.tif 000003
【図２】
2010014267.tif 000004
【図３】
2010014267.tif 000005
【図４】
2010014267.tif 000006
【図５】
2010014267.tif 000007
【図６】
2010014267.tif 000008
【図７】
2010014267.tif 000009
【図８】
2010014267.tif 000010